(57)【要約】【課題】感光体に用紙の速度変動が伝わらないようにし、感光体に回転ムラが生じにくく、ジターや、書き込みデバイスを千鳥配置に繋いで使用した場合の継目段差が発生しにくい構成の画像形成装置を提供する。【解決手段】像担持体５上に画像を形成し、像担持体上に形成された画像を搬送手段１１ａ，１１ｂで搬送される転写材８に転写する画像形成装置において、転写位置（転写部）１２における転写材８の線速よりも像担持体５の線速を速く設定した。これにより像担持体５が転写材８に引張られることがなく、転写材の速度変動が像担持体に伝わらないので、像担持体に回転ムラが生じにくく、ジターや、書き込みデバイスを千鳥配置に繋いで使用した場合の継目段差が発生しにくくなる。また、像担持体と転写材の速度差により、像担持体表面が転写材により摺擦されるので、トナーフィルミングの発生を防止できる。【選択図】図１
2005157068.tif 000002
【特許請求の範囲】
【請求項１】
像担持体上に画像を形成し、該像担持体上に形成された画像を、搬送手段で搬送される転写材に転写する画像形成装置において、
転写位置における前記転写材の線速よりも前記像担持体の線速を速く設定したことを特徴とする画像形成装置。
【請求項２】
回転する像担持体の周辺に、移動方向に沿って順に帯電手段、潜像形成手段、現像手段、転写手段、クリーニング手段、除電手段が配置され、帯電、潜像形成、現像のプロセスを経て像担持体上に形成された画像を、搬送手段で搬送される転写材に転写する画像形成装置において、
転写位置における前記転写材の搬送速度よりも前記像担持体の回転速度を速く設定したことを特徴とする画像形成装置。
【請求項３】
請求項２記載の画像形成装置であって、前記現像手段は、現像剤に乾式トナーを用いて像担持体上の潜像を顕像化する構成の画像形成装置において、
転写位置における前記転写材の搬送速度より、画像が良好に保てる範囲で前記像担持体の回転速度を速くしたことを特徴とする画像形成装置。
【請求項４】
請求項１〜３の何れか一つに記載の画像形成装置において、
前記像担持体は、複数の線速での駆動が可能なことを特徴とする画像形成装置。
【請求項５】
請求項１〜４の何れか一つに記載の画像形成装置において、
前記像担持体より転写材搬送方向下流側には、転写材に転写された画像を定着する定着部が配置されており、転写材先端が定着部に達した後、像担持体の線速または回転速度を増速することを特徴とする画像形成装置。
【発明の詳細な説明】
【技術分野】
【０００１】
本発明は、像担持体上に形成された画像を、搬送手段で搬送される転写材に転写する画像形成装置に関する。
【背景技術】
【０００２】
従来、複写機、プリンタ、プロッタ、ファクシミリのような画像形成装置においては、電子写真方式や静電記録方式等の画像形成手段で感光体等の像担持体上に画像を形成した後、この像担持体上の画像を搬送手段で搬送される転写材（記録用紙等）に転写し、定着して画像を形成している。
このような画像形成装置において、転写材として広幅で長尺な用紙を用い、長尺搬送を行なう場合には、用紙にバックテンションを与え、斜行させることなく搬送させることにより、シワ、画像転写抜け、画像ブレ等を防止していることが多い。また、倍率の変動等を抑制する目的で、画像定着部、給紙レジスト部の線速を制御することにより、画像転写部における転写紙線速を感光体線速と等速にする技術が知られている（例えば特許文献１参照）。
【０００３】
一方、乾式トナーを用いる電子写真方式や静電記録方式の画像形成装置では、例えば像担持体として感光体を用い、帯電、潜像形成、現像のプロセスを経て感光体上に形成されたトナー画像を、搬送手段で搬送される転写材に転写し、定着して画像を形成しており、転写後の感光体上に残留したトナーはクリーニング装置により除去、回収されるが、繰り返し感光体を使用しているうちに、クリーニング装置によっても除去しきれないトナーが徐々に感光体表面に堆積してトナーフィルミングが発生し、画像品質が劣化し、最終的には感光体の寿命が短くなるという問題がある。
そこで、この問題を解決するため、クリーニング装置で取り切れない感光体表面の付着トナーを除去する動作を指示する清掃動作指示手段を設け、その清掃動作指示手段の指示により、通常の記録動作を休止させ、その状態においてトナーフィルミング除去動作を行わせる画像形成装置が提案されている（例えば特許文献２参照）。この従来技術では、清掃動作時に、クリーニングペーパを記録用紙と同様に装置内に送り込み、感光体表面に接触させた時点で、搬送を停止もしくは減速し、感光体ドラム表面にこのクリーニングペーパを静電気力により吸着させ、これにより、清掃を目的として感光体を一定数回転させて感光体表面の付着トナーを拭き取り、拭き取り終了後、このクリーニングペーパを記録用紙同様に装置より排出する。
【０００４】
【特許文献１】特開２００２−２８７４４４号公報
【特許文献２】特公平６−４８４１５号公報
【発明の開示】
【発明が解決しようとする課題】
【０００５】
長尺搬送を行なう画像形成装置では、画像転写部の後に配置された定着装置の線速を、画像転写部の前に配置された給紙・レジストローラの線速よりも大きく設定することで、用紙にバックテンションを与え、定着装置での用紙斜行搬送を抑制し、シワ、画像転写抜け、画像ブレ等を防止していることが多いが、この方式では給紙・レジストローラ／定着とも引張り状態において微小にスリップしながら用紙を搬送しており、このときの各線速は、「給紙・レジストローラ線速」＜「用紙線速」＜「定着装置線速」となっている。また、「給紙・レジストローラ線速」は、引張り状態でない場合、用紙への転写媒体である像担持体（例えば感光体）の「感光体線速」にほぼ等しく設定されていることから、引張りがはじまると、「用紙線速」＞「感光体線速」となる。
【０００６】
定着装置でのスリップ状態は、用紙、ローラの種類や表面状態により微妙に変化することから、用紙線速は微小に変動している。また、転写部における感光体と用紙の密着力は極めて強力で、用紙線速が感光体線速より大きいと感光体が用紙に引張られることになる。つまり定着装置でのスリップによる用紙線速の微小変動が感光体に伝わり、感光体に回転ムラが生じることになる。また、用紙に初期のたるみ状態から引張り状態に変わる瞬間の用紙線速変動も感光体に影響し回転ムラとなる。
【０００７】
長尺搬送を行なう画像形成装置は、広幅機であることが多い。また、広幅機の市場はＡ３，Ａ４以下を処理する普及機と比較すると小規模であり、ロット効果によるコストダウンが難しく、安価な普及機の部品を共通使用することでコスト抑制を図ることが行われている。感光体に画像を形成するデバイスについても、広幅機では、普及機の光書込みデバイス（例えば発光ダイオード（ＬＥＤ）アレイや液晶シャッターアレイなどを用いた光書込みヘッド（ＬＰＨ）等）を主走査方向に複数繋いで用いる場合がある。光書込みデバイスはその主走査方向の端部まで発光する訳ではないため、複数繋ぐ場合は千鳥に配列することなる。このように千鳥配置された光書込みデバイスを用い、感光体上の主走査方向に光書き込みデバイスを跨いでラインを形成する場合、隣り合う光書き込みデバイスの副走査方向の距離を感光体が移動して同一ラインを描くことになる。この構成で、先の原因により感光体に回転ムラが生じると、ラインに段差が発生してしまう。また、この構成でなくても、感光体に回転ムラが生じると用紙上でジター画像となる。
【０００８】
前述の特許文献１に記載の発明では、上記段差やジター画像への対応ではなく等倍性確保を目的とするものであるが、「給紙・レジストローラ線速」と「定着装置線速」を、用紙搬送中に可変することで、常に「用紙線速」と「感光体線速」を等しくなるように制御しており、これは本課題の解決法の一つとなる。基本的には用紙のたるみ状態が引張り状態に変わる瞬間に、「給紙・レジストローラ線速」と「定着装置線速」を減速して、「用紙線速」と「感光体線速」を等速に維持しているが、用紙個別の表面状態等により定着装置でのスリップ状態が異なったり、用紙のカール状況で定着装置に用紙先端が到達する時間がバラツクことにより、たるみから引張りに遷移するタイミングにバラツキが生じ、減速開始がズレて感光体に用紙の線速変動が伝わり回転ムラが発生する場合が出てくる。また、基本的に「用紙線速」と「感光体線速」を等速に維持しているため、スリップ状態による微小な用紙線速の変動により、瞬間的に「用紙線速」＞「感光体線速」となる場合もあり、感光体に回転ムラが生じることがある。
【０００９】
本発明は上記事情に鑑みなされたものであり、感光体に用紙の速度変動が伝わらないようにし、感光体に回転ムラが生じにくく、ジターや、書き込みデバイスを千鳥配置に繋いで使用した場合の継目段差が発生しにくい構成の画像形成装置を提供することを目的とする。
【００１０】
また、前述の特許文献２に記載の発明では、感光体のトナーフィルミングを除去するために、特別なトナーフィルミング除去動作や複雑な機構を必要としており、このためコストアップを招くという問題がある。
そこで本発明は、上記の目的に加え、特別なトナーフィルミング除去動作や複雑な機構を必要とせず、コストアップを招くことなく、簡単にトナーフィルミングの発生を防止することができる構成の画像形成装置を提供することを目的とする。
【課題を解決するための手段】
【００１１】
上記目的を達成するための手段として、本発明は以下のような構成を採用したものである。
本発明の第１の構成は、像担持体上に画像を形成し、該像担持体上に形成された画像を、搬送手段で搬送される転写材に転写する画像形成装置において、転写位置における前記転写材の線速よりも前記像担持体の線速を速く設定したことを特徴とする。
【００１２】
本発明の第２の構成は、回転する像担持体の周辺に、移動方向に沿って順に帯電手段、潜像形成手段、現像手段、転写手段、クリーニング手段、除電手段が配置され、帯電、潜像形成、現像のプロセスを経て像担持体上に形成された画像を、搬送手段で搬送される転写材に転写する画像形成装置において、転写位置における前記転写材の搬送速度よりも前記像担持体の回転速度を速く設定したことを特徴とする。
また、本発明の第３の構成は、第２の構成の画像形成装置であって、前記現像手段は、現像剤に乾式トナーを用いて像担持体上の潜像を顕像化する構成の画像形成装置において、転写位置における前記転写材の搬送速度より、画像が良好に保てる範囲で前記像担持体の回転速度を速くしたことを特徴とする。
【００１３】
本発明の第４の構成は、第１〜第３の構成の何れか一つの画像形成装置において、前記像担持体は、複数の線速での駆動が可能なことを特徴とする。
また、本発明の第５の構成は、第１〜第４の構成の何れか一つの画像形成装置において、前記像担持体より転写材搬送方向下流側には、転写材に転写された画像を定着する定着部が配置されており、転写材先端が定着部に達した後、像担持体の線速または回転速度を増速することを特徴とする。
【発明の効果】
【００１４】
本発明の第１の構成の画像形成装置では、転写位置における前記転写材の線速よりも前記像担持体の線速を速く設定したことにより、像担持体が転写材に引張られることがなく、転写材の速度変動が像担持体に伝わらないので、像担持体に回転ムラが生じにくく、ジターや、書き込みデバイスを千鳥配置に繋いで使用した場合の継目段差が発生しにくくなる。
【００１５】
第２の構成の画像形成装置では、転写位置における前記転写材の搬送速度よりも前記像担持体の回転速度を速く設定したことにより、像担持体が転写材に引張られることがなく、転写材の速度変動が像担持体に伝わらないので、像担持体に回転ムラが生じにくく、ジターや、書き込みデバイスを千鳥配置に繋いで使用した場合の継目段差が発生しにくくなる。
また、第３の構成の画像形成装置では、第２の構成及び効果に加え、現像手段の現像剤に乾式トナーを用いた場合に発生する像担持体表面のトナーフィルミングの問題に対しても、転写位置における転写材の搬送速度より、画像が良好に保てる範囲で像担持体の回転速度を速くしたことにより、像担持体表面と転写材表面に速度差が生じ、像担持体表面が転写材により摺擦されるので、コストアップを招くことなく、簡単にトナーフィルミングの発生を防止することができる。
【００１６】
第４の構成の画像形成装置では、第１〜第３の構成の何れか一つの構成及び効果に加え、前記像担持体は、複数の線速での駆動が可能なことにより、複数の紙種において最適な像担持体線速が設定できるため、後端等倍性に関してもより高品質な画像が得られる。
【００１７】
第５の構成の画像形成装置では、第１〜第４の構成の何れか一つの構成及び効果に加え、前記像担持体より転写材搬送方向下流側には、転写材に転写された画像を定着する定着部が配置されており、転写材先端が定着部に達した後、像担持体の線速または回転速度を増速することにより、定着部によって転写材が引張られて転写材線速が増速するような場合にも、像担持体の線速または回転速度が増速されるので、常に転写位置における転写材の線速（搬送速度）よりも像担持体の線速（回転速度）を速くすることができ、像担持体が転写材に引張られることがなく、転写材の速度変動が像担持体に伝わらないので、像担持体に回転ムラが生じにくく、ジターや、書き込みデバイスを千鳥配置に繋いで使用した場合の継目段差が発生しにくくなる。また、転写材先端が定着部に達した後も、像担持体の線速または回転速度を増速することにより、像担持体表面と転写材表面に速度差が生じ、像担持体表面が転写材により摺擦されるので、コストアップを招くことなく、簡単にトナーフィルミングの発生を防止することができる。
【発明を実施するための最良の形態】
【００１８】
以下、本発明の構成、動作及び作用を、図示の実施例に基づいて詳細に説明する。
【実施例１】
【００１９】
図１は本発明の一実施例を示す画像形成装置の概略構成図である。図１において、符号１は原稿、２は原稿を搬送する原稿搬送ローラ対（Ａ）、３は原稿を搬送する原稿搬送ローラ対（Ｂ）、４は図示しない結像素子（マイクロレンズアレイ、ロッドレンズアレイ等）とＣＣＤ等の撮像素子からなる原稿読み取り部、５は像担持体であるドラム状の感光体、６は２つの書き込みデバイス（例えばＬＥＤアレイや液晶シャッターアレイなどを用いた光書込みヘッド（ＬＰＨ）等）６ａ，６ｂからなり感光体に潜像を形成する書き込み装置（潜像形成手段）、７は現像剤（例えば乾式トナー等）で感光体上の潜像を現像して顕像化する現像装置、８は転写材であるロール状に巻かれた用紙、９ａ，９ｂは給紙ローラ対（Ａ）、１０ａ，１０ｂは給紙ローラ対（Ｂ）、１１ａ，１１ｂはレジストローラ対、１２は感光体上のトナー画像を用紙に転写する転写部、１３は感光体５上の残留トナー等を除去するクリーニング装置、１４は定着ローラ１４ａと加圧ローラ１４ｂからなる定着部、１５ａ，１５ｂは排紙ローラ対、１６は用紙をカットするカッターである。尚、感光体５の帯電手段や除電手段は図示を省略している。また、書き込み装置（潜像形成手段）６としては、光書き込み方式の他に、針状電極アレイ等を用いた静電記録方式を採用することもできる。
【００２０】
図１において、原稿１は原稿搬送ローラ対（Ａ）２及び原稿搬送ローラ対（Ｂ）３により搬送され、原稿読み取り部４で画像を読み取られる。原稿読み取り部４で読み取られた画像は、書き込み装置６の書き込みデバイス６ａ，６ｂにより、回転する感光体５に書き込まれ、静電潜像が形成される。この静電潜像は現像装置７の現像剤（例えば乾式トナー等）で現像されて顕像化される。一方、ロール状に巻かれた用紙８は、給紙ローラ対（Ａ）９ａ，９ｂと給紙ローラ対（Ｂ）１０ａ，１０ｂにより給紙・搬送され、カッター１６で所定の長さにカットされてレジストローラ対１１ａ，１１ｂへ送られ、レジストローラ対１１ａ，１１ｂにより上記の作像動作にタイミングを合わせて転写部１２へと搬送され、転写部１２で感光体５上の画像と位置を合わせて用紙８に画像が転写される。画像が転写された用紙８は定着部１４へ搬送され、定着ローラ１４ａと加圧ローラ１４ｂで挟持搬送されながら画像が定着され、排紙ローラ対１５ａ，１５ｂにより図示しないスタッカー等の排紙部に排出される。また、画像転写後の感光体５の表面に残留したトナー等はクリーニング装置１３により除去される。
【００２１】
本実施例では、以上のような構成の画像形成装置において、レジストローラ対１１ａ，１１ｂの線速をＶｒ、定着部１４の定着ローラ１４ａと加圧ローラ１４ｂの線速をＶｆ、感光体５の線速をＶｄ、転写部１２における用紙８の線速をＶｐとすると、
Ｖｒ＜Ｖｆ  、  Ｖｐ＜Ｖｄ
となる様に設定している。
尚、Ｖｐは、
Ｖｒ＜Ｖｐ＜Ｖｆ
である。
【００２２】
このように、感光体５の線速Ｖｄを、転写部１２における用紙８の線速Ｖｐよりも速く設定することにより、感光体５が用紙８に引張られることがなくなり、用紙８の線速変動が感光体５に伝わらないため、感光体５の回転ムラが発生しにくくなり、ジターの発生等が防止できる。
【００２３】
尚、ここでは説明を簡略化するため、駆動ローラの速度関係はレジストローラ・定着ローラ・加圧ローラだけで示したが、実際には図１の例で言えば、Ｖｒは感光体上流側の搬送手段である給紙ローラ対（Ａ）９ａ，９ｂ・給紙ローラ対（Ｂ）１０ａ，１０ｂとレジストローラ対１１ａ，１１ｂの線速の合成により決まる用紙搬送速度であり、Ｖｆは感光体下流側の用紙搬送手段である定着・加圧ローラ１４ａ，１４ｂと排紙ローラ対１５ａ，１５ｂの線速の合成により決まる用紙搬送速度である。
また、Ｖｐ＜Ｖｄとすることで、感光体５上の画像を用紙８に転写する際、接点において微小なスリップを起こしていることになるが、ＶｄのＶｐに対する線速差（速度差）は１％以下であり画像上問題にならない。
【００２４】
ところで、長尺用紙の搬送性や、熱定着による用紙収縮率を考慮すると、Ｖｒに対するＶｆの適正線速差が、用紙種類により異なることは前述の特許文献１にも述べられている通りである。このため紙種毎に適正Ｖｆを設定すると本実施例におけるＶｐも変化するため、これに対応して複数の感光体線速Ｖｄを設定できることが望ましい。この場合、最大Ｖｆ時の最大Ｖｐを上回るＶｄを設定しておけば問題はないが、極端にＶｄを大きくすると、用紙８の後端がレジストローラ対１１ａ，１１ｂを抜けた後、等倍性がやや縮み側に変動することがあるため、各Ｖｆに対応したＶｄを設定できるようにすることで、より高品質の画像を得ることが可能となる。
【００２５】
尚、書き込み装置６において、複数の書き込みデバイス６ａ，６ｂを千鳥配置に繋いで使用する場合に、感光体線速Ｖｄを複数設定する場合には、Ｖｄによって書き込みデバイス６ａ，６ｂ間を感光体５が副走査方向（回転方向）に移動する時間が変わるので、副走査方向の書き込みタイミングも、複数の感光体線速Ｖｄに対応して複数設定できるようにする。具体的には、感光体線速Ｖｄの複数の設定値に対応して、副走査方向の書き込みタイミングの設定値を予めデータテーブル化しておき、制御部のメモリに記憶しておけば、感光体線速Ｖｄの変更に対応して書き込みタイミングも適正なタイミングに変更でき、書き込みデバイスを千鳥配置に繋いで使用した場合の継目段差の発生を防止できる。
【実施例２】
【００２６】
次に本発明に係る画像形成装置のより具体的な構成例を示す。図２は本発明の第２の実施例を示す画像形成装置の概略要部構成図である。この画像形成装置は、像担持体の一例であるドラム状の感光体１０１と、この感光体１０１を帯電する帯電手段の一例であるメインチャージャとグリッドを備えた帯電装置１０２と、帯電された感光体１０１に画像情報に応じた光を照射して静電潜像を形成する書き込み装置（潜像形成手段）１０３と、現像電圧を印加・可変可能な機能を有し感光体上の静電潜像を２成分現像剤（乾式トナー１１５とキャリア１１６）のトナーで現像して顕像化する現像装置１０４と、感光体上のトナー画像を図示しない給紙部から搬送されてきた転写材（例えば転写用紙）１１８に転写する転写部１０５と、転写後の転写用紙１１８を感光体１０１から分離する分離部１０６と、転写用紙１１８に転写されず、感光体上に残った転写残トナーを除去するクリーニング装置１０７と、次の帯電のために感光体上に残存する電荷を除去する除電装置１０８とを備えている。また、転写材搬送方向１１９で分離部１０６より下流側には、図３に示すように定着部１２０が配置されており、この定着部１２０は、定着ローラ１２１と加圧ローラ１２２で構成されている。
【００２７】
以下、図２，３に示す画像形成装置の構成、動作の具体例について述べる。
像担持体の一例であるドラム状をした感光体１０１が図中の矢印で示す時計回り方向に回転する。この感光体１０１を帯電する手段の一例である帯電装置１０２が放電を開始し、この感光体１０１の画像領域を所定の帯電電位まで帯電する。次いで。感光体１０１上に、図示しない原稿読み取り部において読み取られた原稿の画像情報（またはパーソナルコンピュータ等の外部機器から送信されてきた画像情報、あるいは電話回線等を介して送信されてきた画像情報）に基づいて、書き込み装置（潜像形成手段）１０３による露光が行われ、画像領域に画像情報に基づいた静電潜像を形成する。尚、書き込み装置１０３としては、例えばＬＥＤアレイや液晶シャッターアレイなどを用いた光書込み方式、あるいはレーザ走査装置を用いた光書き込み方式等が用いられるが、この他、針状電極アレイ等を用いた静電記録方式を採用することもできる。
【００２８】
上記の感光体１０１の回転に同期して、現像装置１０４の現像ローラ１０９が図中の矢印方向に回転する。図示を省略するが、現像ローラ１０９は、円筒状のスリーブと、そのスリーブの内部に固定配置された回転しないマグネットからなり、マグネットには例えば６極の磁極が設けられている。このマグネットの磁力により、現像ローラ１０９のスリーブに２成分現像剤（乾式トナー１１５とキャリア１１６）が担持され、スリーブの回転により現像位置まで搬送され、現像位置で２成分現像剤が穂立ちし、所謂磁気ブラシを形成する。そして磁気ブラシ中のトナーにより感光体上の画像領域の潜像が現像され顕像化される。また、この顕像化に際しては、所定の現像バイアスが現像ローラ１０９に印加される。
【００２９】
感光体上の画像領域で顕像化された画像は、転写部１０５で転写用紙１１８に転写され、画像が転写された転写用紙１１８は分離部１０６で感光体１０１から分離されて、図３に示す定着部１２０に搬送され、定着部１２０の定着ローラ１２１と加圧ローラ１２２により画像が定着されて図示しない排紙部に排紙される。
また、転写後の感光体１０１に残留した転写残トナーはクリーニング装置１０７で除去・清掃され、除電装置１０８による残留電荷の除電が行われて次の作像動作に備える。
【００３０】
現像部１１０の現像装置１０４は、現像容器１１１とトナー容器１１２から構成されている。トナー容器１１２内には、容器内のトナー１１５を現像容器１１１内に供給するための補給パドル１１３が配置され、現像容器１１１内には攪拌パドル１１４及び現像ローラ１０９が併設されており、現像ローラ１０９は感光体１０１に近接配置されている。現像容器１１１中にはトナー１１５とキャリア１１６が混在しているが、現像動作によってトナーのみが消費される。従ってトナー容器１１２中にはトナー１１５のみが収容されていて、補給パドル１１３の回転により、適宜現像容器１１１内にトナー１１５が補給されるようになっている。
【００３１】
本実施例では、以上のような構成の画像形成装置において、転写部１０５における感光体１０１の回転速度（線速Ｖｄ）と、転写用紙１１８の搬送速度（線速Ｖｐ）との関係は、感光体１０１上の画像が転写用紙１１８に転写される際に、画像に影響を与えない程度に感光体１０１の方が速く回転するように設定されている。すなわち、前述の実施例１と同様に、感光体５の回転速度（線速Ｖｄ）を、転写部１０５における転写用紙１１８の搬送速度（線速Ｖｐ）よりも速く（Ｖｐ＜Ｖｄ）なるように設定することにより、感光体１０１が転写用紙１１８に引張られることがなくなり、転写用紙１１８の線速変動が感光体１０１に伝わらないため、感光体１０１の回転ムラが発生しにくくなり、ジターの発生等が防止できる。
また、このように画像に影響を与えない程度に感光体１０１の回転速度を転写用紙の搬送速度より速くすることにより、感光体１０１上の画像を転写用紙１１８に転写する際、接点において微小なスリップを起こすことになるが、このように感光体１０１の表面を転写用紙１１８の表面に対して僅かに滑らせることにより、感光体１０１表面を転写用紙１１８で摺擦して、トナーフィルミングの発生を防止することができる。すなわち、特別なトナーフィルミング除去動作や複雑な機構を必要とせず、コストアップを招くことなく、簡単にトナーフィルミングの発生を防止することができる。
【００３２】
ところで、定着部１２０は転写用紙１１８のシワ等の発生を防止する目的で、定着ローラ１２１と加圧ローラ１２２の線速が、転写部１０５より搬送方向上流側のレジストローラ（図示せず）等の線速よりも僅かに速く設定されているので、図３に示すように、転写用紙１１８が定着部１２０に達すると、定着ローラ１２１と加圧ローラ１２２により転写用紙１１８は引張られ、搬送速度が増速する。従って、本実施例では、転写用紙１１８の先端が定着部１２０に達した後、所定の比率により感光体１０１の回転速度（線速）を増速するように設定する。
このように、転写用紙１１８の先端が定着部１２０に達した後、所定の比率で感光体１０１の回転速度（線速）を増速することにより、定着部１２０によって転写用紙１１８が引張られて搬送速度（線速）が増速するような場合にも、感光体１０１の回転速度（線速）が増速されるので、常に転写位置における転写用紙１１８の搬送速度よりも感光体１０１の回転速度を速くすることができ、感光体１０１が転写用紙１１８に引張られることがなく、転写用紙１１８の速度変動が感光体１０１に伝わらないので、感光体１０１に回転ムラが生じにくく、ジター等が発生しにくくなる。
また、転写用紙先端が定着部１２０に達した後も、感光体１０１の回転速度を増速することにより、感光体表面と転写用紙表面に速度差が生じ、感光体表面が転写用紙により摺擦されるので、コストアップを招くことなく、簡単にトナーフィルミングの発生を防止することができる。
【産業上の利用可能性】
【００３３】
本発明の画像形成装置は、電子写真方式あるいは静電記録方式等を利用して画像形成を行なう複写機、プリンタ、プロッタ、ファクシミリ、印刷装置に利用することができる。
【図面の簡単な説明】
【００３４】
【図１】本発明の一実施例を示す画像形成装置の概略構成図である。
【図２】本発明の第２の実施例を示す画像形成装置の概略要部構成図である。
【図３】図２に示す画像形成装置の定着部の構成例を示す図である。
【符号の説明】
【００３５】
１：原稿
２：原稿搬送ローラ対（Ａ）
３：原稿搬送ローラ対（Ｂ）
４：原稿読み取り部
５：感光体（像担持体）
６：書き込み装置（潜像形成手段）
７：現像装置
８：用紙（転写材）
９ａ，９ｂ：給紙ローラ対（Ａ）
１０ａ，１０ｂ：給紙ローラ対（Ｂ）
１１ａ，１１ｂ：レジストローラ対
１２：転写部
１３：クリーニング装置
１４：定着部
１４ａ：定着ローラ
１４ｂ：加圧ローラ
１５ａ，１５ｂ：排紙ローラ対
１６：カッター
１０１：感光体（像担持体）
１０２：帯電部
１０３：書き込み装置（潜像形成手段）
１０４：現像装置
１０５：転写部
１０６：分離部
１０７：クリーニング装置
１０８：除電装置
１０９：現像ローラ
１１０：現像部
１１１：現像容器
１１２：トナー容器
１１３：補給パドル
１１４：攪拌パドル
１１５：トナー
１１６：キャリア
１１７：反射型センサ
１１８：転写用紙（転写材）
１１９：転写材搬送方向
１２０：定着部
１２１：定着ローラ
１２２：加圧ローラ
【図１】
2005157068.tif 000003
【図２】
2005157068.tif 000004
【図３】
2005157068.tif 000005